(57)【要約】【課題】本発明は、フォームボンベ、特に手持ち式アプリケータを有するアプリケータガンに用いるためのフォームボンベ手段の使用を可能にする、建築に用いられるポリウレタンフォームボンベの手持ち式アプリケータ用の固着デバイスの構造に関する。【解決手段】このために、バルブノズル（３）に載置される手持ち式アプリケータ用の固着デバイス（９，１９）を用いる。固着デバイス（９，１９）は、ノズルの側にキャビティ（１２，２４）を有し、このキャビティ内に円錐形パイプ（１３，２５）がある。更に、固着デバイスのキャビティの内壁に、引っ掛けデバイス（１４，２６，２７）、例えば、ノズル（３）の縁（８）の後ろにフックされるだぼがある。【選択図】図１
2009531237.tif 000002
【特許請求の範囲】
【請求項１】
手持ち式アプリケータをフォームボンベのバルブノズルに取付けるための固着デバイスであって、
手持ち式アプリケータ用の固着デバイス（９，１９）は、フォームボンベのバルブノズル（３）に取付けられた下部にキャビティ（１２，２４）を有し且つ延びた円錐形パイプ（１３，２５）を含み、固着デバイス（９，１９）は、ダクト（１１，２３）を有し、手持ち式アプリケータの固着デバイス（９，１９）の下端は、固着デバイスの内壁からダクト（１３，２５）に向かって延びる引っ掛けデバイス（１４，２６，２８）を有することを特徴とする、固着デバイス。
【請求項２】
キャビティ（１２，２４）の直径は、フォームボンベノズル（３）の外径に相当することを特徴とする、請求項１に記載の手持ち式アプリケータ用の固着デバイス。
【請求項３】
パイプ（１３，２５）の円錐は、キャビティ（１２，２４）の底からパイプ（１３，２５）の端に向かって直径が減少することを特徴とする請求項１に記載の手持ち式アプリケータ用の固着デバイス。
【請求項４】
引っ掛けデバイスは、三角形断面を有する少なくとも３つのだぼ（１４）を含むことを特徴とする請求項１に記載の手持ち式アプリケータ用の固着デバイス。
【請求項５】
だぼは、楔形であり、三角形断面は、周囲に沿って減少することを特徴とする請求項４に記載の手持ち式アプリケータ用の固着デバイス。
【請求項６】
引っ掛けデバイスは、固着デバイスの周の回りで内側に均等に分配されたフック又は差込み（２６）であることを特徴とする請求項１に記載の手持ち式アプリケータ用の固着デバイス。
【請求項７】
引っ掛けデバイスは、固着デバイスの内側のフランジ（２８）であることを特徴とする請求項１に記載の手持ち式アプリケータ用の固着デバイス。
【請求項８】
キャビティ（１２，２４）の深さ及びパイプ（１３、２５）の円錐は、固着デバイス（９，１９）とフォームボンベのバルブノズル（３）との緊密な連結を確保することを特徴とする請求項２に記載の手持ち式アプリケータ用の固着デバイス。
【発明の詳細な説明】
【技術分野】
【０００１】
本発明は、ポリウレタンフォームボンベのバルブに固定される、アプリケータ、主として手持ち式アプリケー用の固着デバイスに関し、アプリケータガン用に設計されたプリウレタンフォームボンベに手持ち式アプリケータを用いることができる手持ち式アプリケー用の固着デバイスに関する。
【背景技術】
【０００２】
一般的に、二種類のフォームアプリケータが、現行の実務−アプリケータガン（１９９３年１２月２１日に発行されたJOHNSON CHARLES Wの米国特許第５，２７１，５３７号明細書）及び手持ち式アプリケータに用いられる。
【０００３】
第１の種類である、アプリケータガンは、空のボンベを、充満したボンベと交換することができ且つ作業が続くので、主として専門の建築で用いられる。第２の種類である、通称手持ち式アプリケータは、主として、より少量のポリウレタンフォームを必要とする、個人住宅で用いられる。アプリケータガンに用いられるフォームの機械的及び物理的特性と、手持ち式アプリケータに用いられるフォームの機械的及び物理的特性とは、一般的に異なる。異なる種類のアプリケータ用に設計されたフォームボンベのバルブも通常異なるから、手持ち式アプリケータをアプリケータガン用に設計されたポリウレタンフォームボンベに用いることができないし、その逆もまたそうである。
【０００４】
ガンバルブ付きのボンベを用いるために、ボンベは、ボンベバルブに合うネジ付きアダプタを用いてアプリケータガンのボールバルブに取付けられる。バルブは、バルブ座によってバルブピンの縁に付与される圧力の結果として開き、表面は、ボンベの加圧内容物がボールバルブの中だけではなくどこかの場所でアプリケータガンの中へ入るのを防止する密封連結部を作る。フォームの流量は、アプリケータガンのトリガによって制御される。手持ち式アプリケータは、バルブにネジで取付けられる；フォーム流量は、手持ち式アプリケータを傾けることによって制御される（１９７９年８月２８日に発行されたSOUTHERN CANの米国特許第４，１６５，８２５号明細書）。
【０００５】
その結果、フォームの製造業者は、異なる設計のフォームボンベバルブを注文し、製造工程でそれらを用いなければならない；即ち、製造業者は、アプリケータガン用に設計されたフォームボンベと、手持ち式アプリケータに用いることができるフォームボンベと、を生産する。これは、一種類のボンベだけの生産が十分である状況と比較して生産工程を複雑にする。
【０００６】
１９７５年９月２３日に発行されたVCA CORPの米国特許第３，９０７，０１２号明細書は、例えば、加圧ガスをボンベから車両タイヤ或いは他の膨張式製品の中へ導くことのできる連結部品ための解決策を記述する。しかしながら、この解決策は、プリウレタンフォームの特異性によりフォームボンベに使用できない。１９９２年７月２９日に発行されたWILLIAMS NORMANの英国特許第２，２５２，１３２号明細書は、異なるノズルをエアロゾルボンベに連結することができる連結部品のための解決策を記述する。しかしながら、この解決策は、液体流量を制御する機会を提供しないので、手持ち式フォームアプリケータを用いるのには適していない。
【０００７】
２００５年８月４日に公開されたFAZEKAS GABOR その他の国際公開第２００５／０７０７８７号公報は、フォームボンベに取付けられた手持ち式アプリケータ用連結部品を記述し、連結部品の取付け後ボンベのバルブをその吸込み口に収容する。この設計により、連結部品とボンベとの間の密封連結は、フォームがボンベを出る間、空気と接触するのを防止することができる。
【０００８】
１９９８年２月２５日に発行されたSELLARS MICHAEL JOHNの英国特許第２，３１６，４６０号明細書は、クリーニングボンベ用の固着デバイスを記述する。固着デバイス或いは連結部品の目的は、いろいろな設計のクリーニングアプリケータを可能にすることであり、即ち、アプリケータガン及び手持ち式アプリケータの両方をクリーニングボンベに取付けることができる。連結部品は、ねじ部品と、ニップルと、連結部品をボンベに固定するための細部と、を含む。ねじ部品は、アプリケータガンをクリーニングボンベに取付けるように設計される。ニップルは、手持ち式アプリケータとクリーニングボンベとの取付けを可能にする。ねじ部品の内側のニップルは、３つのブリッジでその部品に固定される。しかしながら、この設計は、例えば、手持ち式アプリケータの場合には、フォームがアプリケータと連結部品との間の空隙から押し出されるので、フォームを抽出するのには用いることができない。
【発明の開示】
【発明が解決しようとする課題】
【０００９】
本発明の目的は、アプリケータ用の、特に手持ち式アプリケー用の固着デバイスを提供することにあり、固着デバイスは、手持ち式アプリケータ及びアプリケータガンの両方を同じボンベに用いることができる。固着デバイスを手持ち式アプリケータの入口ポートと一体にしてもよいし、或いは、連結部品の形態の固着デバイスを既存の手持ち式アプリケータのために生産してもよいし、固着デバイスは、ねじで手持ち式アプリケータに取付けられ、手持ち式アプリケータをアプリケータガン用のフォームボンベに用いることができる。その上、目的は、固着デバイス用の簡単で、しかも適切に密封される設計を提供することである。更なる目的は、一種類だけのバルブを用いることができる、フォームボンベ製造工程の簡略化であり、簡略化は、生産コストを減じる。
【課題を解決するための手段】
【００１０】
本発明の上記目的は、固着デバイス用の円錐形パイプ部分を生産することによって達成され、それによって固着デバイスのフォームボンベバルブへの取付け中、パイプ部分がバルブノズルの中に押し込まれるので円錐形パイプ部分が固着デバイスとバルブノズルとの間に密封連結を引き起こす。更に、楔形だぼのような、引っ掛けデバイスが連結部品の下部に加えられる；引っ掛けデバイスは、バルブノズル縁の後ろに引っ掛けられて、固着デバイスがバルブノズルから外れるのを防止する。
本発明に対応する固着デバイスを、図面を参照して以下に記述する。
【発明を実施するための最良の形態】
【００１１】
図１は、バルブキャップ１を含み、バルブノズル３及びガスケット４がバルブキャップ１の穴２の中に挿入された、フォームボンベ（図示せず）のバルブを示す。バルブキャップ１のＵ字形外部フランジは、ガスケット５を含む。フォームボンベの内側にあるバルブノズル３の部分は、延張部６を有し、ガスケット４は延張部６を介してバルブノズル３を支持する。バルブノズル３は、ガスケット４のダクト７を通ってボンベの外側に延び、ノズルは、ガスケット４によって支持された縁８をボンベの外側に含む。この設計によるフォームボンベバルブは、一般的にアプリケータガン用ボンベに用いられる。同時に、フォームボンベバルブの上述した設計は、一般的に知られており、従って、更に説明しない。
【００１２】
アプリケータガン用に設計されたフォームボンベに手持ち式アプリケータを用いるために、手持ち式アプリケータと一体をなした固着デバイス９又は別体の固着デバイス１９を用いる。図１では、ポリウレタンフォームダクト１１が、手持ち式アプリケータの入口ポート１０に挿入された固着デバイス９を貫通する。固着デバイス９の下部は、キャビティ１２及びパイプ１３を有する。パイプ１３は、直径がパイプの端に向かって小さくなっている円錐形を有する。ダクト１１は、パイプ１３を貫通する。固着デバイス９の下端は、図３に示すように、パイプ１３の内側の方に差し向けられた、少なくとも３つの楔形三角だぼのような、引っ掛け（グラプリング）デバイス１４を含む。だぼ１４の断面は、正方形又はどんな他の形状であってもよい。だぼ１４の断面は、ストリップ外周が固着デバイス９の内壁に向かって減少する。だぼ１４とバルブノズル３の縁８との組み合せ効果は、固着デバイスが用いられるとき‘クリック連結’を引き起こす。だぼ１４は、バルブノズルからの固着デバイス９の容易な外れを許さず、それらの三角形断面は、固着デバイス９と円錐パイプ１３をフォームボンベバルブノズル３の中にしっかりと押し込む。
【００１３】
本発明に対応する固着デバイスの変形例では、固着デバイス１９は、図２に示すように、手持ち式アプリケータとは別体に生産される。この解決策は、雌ねじ２１付きの入口ポート２０を有する既存手持ち式アプリケータ２７を、アプリケータガン用のボンベに用いることができる。手持ち式アプリケータは、手持ち式アプリケータ用のバルブノズルに雄ねじを設けて生産されるフォームボンベに通常用いられる。固着デバイス１９の上端は、雄ねじ２２をもった部分を含み、雄ねじは、手持ち式アプリケータ入口ポート２０、２１の雌ねじに合う。ポリウレタンフォームダクト２３が、固着デバイス１９を貫通する。固着デバイス１９の下部は、キャビティ２４及びパイプ２５を含む。パイプ２５は、直径がパイプの端に向かって小さくなる円錐形状を有する。ダクト２３は、パイプ２５を貫通する。図４に示すように、固着デバイスの内周の回りに均等に分配されたフック又は差込みのような、パイプ２５の内側の方に差し向けされた、引っ掛けデバイス２６が固着デバイスの下端にある。また、フック又は差込み２６の断面は、三角形であってもよいし或いはボンベノズルへの手持ち式アプリケータの適切な固定を確実にする或る他の形状を用いてもよい。固着デバイス１９を用いるとき、フック又は差込み２６は、フック又は差込み２６とバルブノズルの縁８との組み合わせ効果により、バルブノズルからの固着デバイスの容易な外れを許さず、三角形断面は、固着デバイス１９及び円錐形パイプ２５をフォームボンベのバルブノズルの中にしっかりと押し込む。
【００１４】
本発明に対応する固着デバイスの変形例では、フック又は差込み２６間に間隙を必要とせず、フランジ２７（図４に示す）が固着デバイス９，１９の下端に形成される。固着デバイスをバルブノズルに取付けるとき、固着デバイスは、全周にバルブノズル３の縁８を把持する。
【００１５】
本発明の将来の変形例では、バルブノズル３を貫通するダクトは、直径がバルブノズル６の延張部６に向かって小さくなる円錐形に作られてもよいことは、明らかである。この場合には、手持ち式アプリケータの入口ポート１０の固着デバイス９のパイプは、円錐形である必要なない。
【００１６】
上述した固着デバイスの使用は、アプリケータガン用に設計されまた手持ち式アプリケータに使用するためにも設計されたフォームボンベを売ることができる。使用者は、対応する固着デバイスを有する手持ち式アプリケータを、フォームボンベのバルブノズル３と連結させる。フォームボンベの製造者は、異なるボンベキャップの問題にもはや直面しない。全てのボンベは、同じ種類のバルブを有し、使用者は、アプリケータガン又は手持ち式アプリケータのいずれかを同じボンベに用いることができる。
【００１７】
この技術分野の専門家は、本発明に対応する固着デバイスの設計は、本発明を実施するための上記の例、或いは添付図面に限定されないが、固着デバイスの設計を、添付の特許請求の範囲によって保護された明細書に従って変更してもよい、ということが理解されるであろう。
【図面の簡単な説明】
【００１８】
【図１】フォームボンベバルブキャップ、バルブ及び手持ち式アプリケータの入口ポートと一体をなした固着デバイスの断面図である。
【図２】フォームボンベバルブキャップ、バルブ及び手持ち式アプリケータに別々に取付けられた固着デバイスの断面図である。
【図３ａ】本発明を実施するための一例として楔形だぼを示す、下から見たときの手持ち式アプリケータ用の固着デバイスを示す図である。
【図３ｂ】本発明を実施するための一例として３つ及び４つのだぼを示す、下から見たときの手持ち式アプリケータ用の固着デバイスを示す図である。
【図４】本発明を実施するための一例としてフック示す、下から見たときの手持ち式アプリケータ用の固着デバイスを示す図である。
【図５】本発明を実施するための一例として固着デバイスの内側のフランジ示す、下から見たときの手持ち式アプリケータ用の固着デバイスを示す図である。
【図６】手持ち式アプリケータ用の固着デバイスの、図１からの強調素子を示す図である。
【符号の説明】
【００１９】
１  バルブキャップ
２  穴
３  バルブノズル
４、５  ガスケット
６  延張部
７  ダクト
８  縁
９  固着デバイス
１０  入口ポート
１１  ポリウレタンフォームダクト
１２  キャビティ
１３  パイプ
１４  だぼ
【図１】
2009531237.tif 000003
【図２】
2009531237.tif 000004
【図３ａ】
2009531237.tif 000005
【図３ｂ】
2009531237.tif 000006
【図４】
2009531237.tif 000007
【図５】
2009531237.tif 000008
【図６】
2009531237.tif 000009
【国際調査報告】
2009531237.tif 000010
2009531237.tif 000011